(57)【特許請求の範囲】
【請求項１】
画像情報に基づいて画像を出力する画像形成装置と、該画像形成装置に画像情報生成装置を接続することで形成される画像処理装置であって、
画像形成装置は、インターフェースを介して画像情報生成装置からの画像情報の受信、画像情報生成装置への制御情報の送信を行う手段と、画像情報に基づいて画像を形成する手段と、第１の不揮発記憶手段と、着脱可能な第２の不揮発記憶手段との接続手段と、前記第１の不揮発記憶手段及び前記接続手段を介して接続される第２の不揮発記憶手段に対するアクセス制御手段と、前記第２の不揮発記憶手段が前記接続手段に接続されているときに、前記第２の不揮発記憶手段の書き込みモードか読み出しモードかをチェックするチェック手段を有し、
前記第１の不揮発記憶手段、前記第２の不揮発記憶手段のいずれにも画像情報生成装置固有の管理情報を格納する領域を備えるとともに、前記第１の不揮発記憶手段には画像形成装置に固有の管理情報を格納する領域を備え、
前記アクセス制御手段は、前記チェック手段のチェック結果に基づいて、前記第１の不揮発記憶手段の画像情報生成装置固有の管理情報を格納する領域に対する前記第２の不揮発記憶手段に格納された管理情報の書込みと、前記第１の不揮発記憶手段に格納された画像情報生成装置固有の管理情報の前記第２の不揮発記憶手段の格納領域への読み込みを切り換えて行うようにし、
前記第２の不揮発記憶手段が前記接続手段に接続されていないときに、前記第１の不揮発記憶手段に記憶された画像情報生成装置固有の管理情報及び画像形成装置に固有の管理情報に基づいて、画像情報生成装置及び画像形成装置を制御して複写動作を行わせることを特徴とする画像処理装置。
【請求項２】
請求項１に記載された画像処理装置において、前記第２の不揮発記憶手段が、前記接続手段に着脱可能に接続するＩＣカードであることを特徴とする画像処理装置。
【発明の詳細な説明】
【０００１】
【発明の属する技術分野】
本発明は、デジタルプリンタ等の画像形成装置と、デジタルスキャナ装置等の画像データ生成装置を信号結線により一体化し、一方の構成ユニットである画像形成装置側に全体の制御機能を持たせるような構成をとる画像処理装置に関し、各装置ユニットに固有の特性値等の管理情報を保存するための手段を、画像形成装置側のみに設けた不揮発記憶手段により実現することにより構成を簡素化し、安定した動作と高コストパフォーマンスを図るようにした前記画像処理装置に関する。
【０００２】
【従来の技術】
デジタル複写装置は、機能的にはデジタルスキャナ機能とデジタルプリンタ機能からなり、装置構成として、従来、各機能を実現する装置を製造段階で組み合わせて一つのデジタル複写装置を構成する場合、或いは別々に製造されたデジタルスキャナ装置とデジタルプリンタ装置を市場において接続し、デジタル複写装置を構成する場合のいずれの実現形態も存在する。
ところで、デジタル複写装置の各装置ユニットにおいては、機器固有の特性値あるいは調整値等の管理情報が存在し、こうした情報を保存する手段を備えている。
機器固有の特性値あるいは調整値等の管理情報（以下、「マシン情報」と記す）の保存は、各装置ユニット内蔵型のデジタル複写装置では、通常、各装置ユニットの情報を、シーケンシャルなコピー動作の全体を制御するプリンタ装置側のマイコン（制御部）に設けた不揮発メモリに格納するという形態をとっている。
【０００３】
しかしながら、各装置ユニットを市場でシステムとして組み合わせる形式のデジタル複写装置では、各々のマシン情報は、各装置ユニットに設けた不揮発メモリに格納せざるを得ない。一般的に、デジタルスキャナ装置とデジタルプリンタ装置には各々を制御するマイコンが搭載されており、各々のマイコンが通信を行うことによりデジタル複写装置としての機能を実現している。
この際、操作部からの設定値の変更等に応じ、デジタル複写機能に関わる情報として一元的な管理を行う上で別々の不揮発メモリを用いると通信・管理が煩雑になり、また、マシン情報が変更され、情報を書き換えるためにデータを通信する途中に、間違って電源を落としたりすると、データの更新に失敗して、誤ったマシン情報が保存され、装置動作に不具合が生じたりする。また、デジタルスキャナ装置の電気回路部の故障の際にマシン情報をそのままにして変える必要がなく、基板のみ交換という場合でも、ＮＶＲＡＭのデータを移し替えることが必要になる。
こうした不利益を解消するため、マシン情報をそれぞれの不揮発メモリで管理せずに、同一メモリに展開し、同一装置として各装置のマシン情報を一つのマイコンの管理下に置くようにしている。
【０００４】
各装置ユニットに不揮発メモリを設け、その中の一方のメモリで各装置ユニットのマシン情報を管理する上記した従来装置の回路における動作、構成を具体例を挙げて説明する。
図６は、かかる従来装置のハードウェア構成を示すブロック図である。
ここでは、デジタルスキャナ１０１をデジタルプリンタ１０２に接続することによりデジタル複写装置としての機能を実現する。
従来装置の構成とコピー画像の形成動作の概要を図６を参照して、説明する。
デジタルスキャナ１０１において、原稿を露光走査しＣＣＤ１１２で光電変換された画像信号は、信号処理部１１３に入力され、信号増幅、信号合成、可変増幅、信号デジタル化（Ａ／Ｄ変換）の工程を経て、デジタルプリンタ１０２の画像処理部２６に出力される。
コントローラＩＣ１１１は、デジタルスキャナ１０１の各部を制御することにより、原稿を露光するランプ１１６をドライブするインバータ１１５のオン／オフ制御機能、ランプ１１６等の読み取り光学系を載せて原稿を走査するキャリッジ（図示せず）を駆動するモータ１１７のドライブ機能、キャリッジのホームポジションを検出するセンサ１１４の入力機能、および ＥＥＰＲＯＭ１１８のアクセス機能を実現する。
【０００５】
デジタルプリンタ１０２において、メイン制御部１２１に、デジタルプリンタ１０２の画像形成処理を行うエンジン部（図示せず）及びデジタルスキャナ１０１のコントローラＩＣ１１１を制御するＣＰＵ１２２を搭載している。ＣＰＵ１２２は、ＲＯＭ１２３に格納されたプログラムに従い処理を実行し、デジタルスキャナ１０１が接続されていない場合は、デジタルプリンタとしての機能を実現し（例えば、装置にファイル蓄積手段を内蔵している場合には、単独で蓄積ファイルのデータをもとに印刷出力をしたり、ＰＣ等のホスト装置が接続されている場合には、ホスト装置からの印刷要求に従い印刷出力を行う）、また、デジタルスキャナ１０１が接続されている場合は、デジタル複写装置としての機能を実現するようにデジタルプリンタ１０２およびデジタルスキャナ１０１を制御する。
ＣＰＵ１２２の処理において、ＲＡＭ１２４は処理上の一時的なデータの保管に用いられ、不揮発メモリであるＮＶＲＡＭ１２５は、デジタルプリンタ１０２における機器固有の特性値あるいは調整値等の情報（マシン情報）を記憶するために用いられる。また、デジタルスキャナ１０１におけるマシン情報は、コントローラＩＣ１１１に接続される不揮発メモリであるＥＥＰＲＯＭ１１８に記憶される。各マシン情報は、デジタルスキャナ１０１およびデジタルプリンタ１０２のそれぞれの製造工程で、必要な情報の入力がなされる。
【０００６】
図７は、上記のように利用されるＥＥＰＲＯＭ１１８およびＮＶＲＡＭ１２５のメモリマップを示す。。
図７に示すように、ＥＥＰＲＯＭ１１８では、００００番地から数バイトの領域にヘッダー領域３１が設けられており、続いてデジタルスキャナ１０１のマシン情報が格納されるデータ領域３２が配置されている。ＮＶＲＡＭ１２５では、００００番地から数バイトの領域にヘッダー領域４１が設けられており、続いてデジタルスキャナ１０１のマシン情報が格納されるデータ領域４２がＥＥＰＲＯＭ１８のデータ領域３２と同じか、或いはそれ以上の容量で設けられており、続いてデジタルプリンタ１０２のマシン情報が格納されるプリンタデータ領域４３が配置されている。
このようにして用意されたＥＥＰＲＯＭ１１８には、デジタルスキャナ１０１の製造工程において、そのマシン情報をデータ領域３２に格納すると同時に、そのヘッダー領域３１に特定の初期値を記憶しておく。同様に、ＮＶＲＡＭ１２５には、デジタルプリンタ１０２の製造工程において、そのマシン情報をプリンタデータ領域４３に格納すると同時に、そのヘッダー領域４１に特定の初期値を記憶しておく。
【０００７】
次に、マシン情報を初期値として各々の不揮発メモリに記憶させて市場に出された、デジタルプリンタ１０２に、オプションのデジタルスキャナ１０１を接続した場合、機器の接続が終了し、電源を投入した際にＣＰＵ１２２により行われるマシン情報の管理に係わる処理について説明する。
図８は、かかる処理のフローチャートを示す。
図８に示すフローによると、ＣＰＵ１２２は、デジタルスキャナ１０１の接続を認識することにより処理を開始し、先ず、ＮＶＲＡＭ１２５のヘッダー領域４１のデータを読み出し（Ｓ７１）、読み出したデータから保管しているデータが初期値であるか否かをチェックする（Ｓ７２）。この場合（機器接続時）、初期値であるから（Ｓ７２−YES）、ＥＥＰＲＯＭ１１８のデータ領域３２からデジタルスキャナ１０１のマシン情報を読み出し、ＲＡＭ１２４に書き込む（Ｓ７３）。  次に、ＲＡＭ１２４に書き込んだデジタルスキャナ１０１のマシン情報をＮＶＲＡＭ１２５のスキャナデータ領域４２に書き込む（Ｓ７４）。書き込み後、ＥＥＰＲＯＭ１１８のヘッダー領域３１に特定値を書き込み（Ｓ７５）、またＮＶＲＡＭ１２５のヘッダー領域４１に特定値を書き込む（Ｓ７６）。
この一連の処理（Ｓ７１〜７６）により、デジタルプリンタ１０２のＮＶＲＡＭ１２５にはデジタルプリンタ１０２のマシン情報とデジタルスキャナ１０１のマシン情報の両方が格納されるため、ＣＰＵ１２２は同一基板（メイン制御部１２１を構成する基板）上のＮＶＲＡＭ１２５を読み出すことで、デジタル複写装置としての機能を実現できる。また、デジタルスキャナ１０１のマシン情報を、デジタルスキャナ１０１側とデジタルプリンタ１０２側の両方で記憶しておくことが可能になる。
【０００８】
また、接続後、次回からのデジタル複写装置起動時（電源投入時）の処理について、図８を参照して説明する。
ＣＰＵ１２２は、上記と同様の手順で、デジタルスキャナ１０１の接続を認識することにより処理を開始し、ＮＶＲＡＭ１２５のヘッダー領域４１から読み出したデータにより保管しているデータが初期値であるか否かをチェックする（Ｓ７１，７２）。今回は、読み出したデータは初期値ではないため（Ｓ７２−NO）、続いてＥＥＰＲＯＭ１１８のヘッダー領域３１のデータを読み出す（Ｓ８１）。読み出したデータからデータが初期値であるか否かをチェックする（Ｓ８２）。この場合、読み出したデータは初期値ではないため（Ｓ８２−NO）、処理を終了する。
図８のフローでは、デジタルスキャナ１０１の電気的な故障等により、ＥＥＰＲＯＭ１１８を含むスキャナ制御部（図示せず）が交換された場合について、対応可能にしている。この場合、ＮＶＲＡＭ１２５のヘッダー領域４１には既に特定値が書き込まれているが、デジタルスキャナ１０１のＥＥＰＲＯＭ１１８のヘッダー領域３１のデータは初期値となっているので、そのチェックができる。デジタルスキャナ１０１のマシン情報は、ランプ１１６、信号処理部１１３、モータ１１７およびそれを保持する筐体のバラツキに依存するため、それらの部品が交換されない限りマシン情報は不変である。
図８を参照し、この場合の処理について、説明すると、上記と同様の手順で、デジタルスキャナ１０１の接続を認識することにより処理を開始し、ＮＶＲＡＭ１２５のヘッダー領域４１から読み出したデータにより保管しているデータが初期値であるか否かをチェックする（Ｓ７１，７２）。今回は、読み出したデータは初期値ではないため（Ｓ７２−NO）、続いてＥＥＰＲＯＭ１１８のヘッダー領域３１のデータを読み出し、読み出したデータからデータが初期値であるか否かをチェックする（Ｓ８１，８２）。
この場合は、読み出したデータが初期値の場合である（Ｓ８２−YES）。そこで、ＮＶＲＡＭ１２５のスキャナ領域４２に格納されているデジタルスキャナ１０１の特性値データを読み出し、ＲＡＭ１２４に書き込む（Ｓ８３）。次に、ＲＡＭ１２４に書き込んだデジタルスキャナ１０１の特性値データをＥＥＰＲＯＭ１１８のデータ領域３２に書き込む（Ｓ８４）。そして、ＥＥＰＲＯＭ１１８のヘッダー領域３１に特定値を書き込み（Ｓ８５）、処理を終了する。
この一連の処理（Ｓ８１〜８５）により、ＥＥＰＲＯＭ１１８を含むスキャナ制御部が交換された場合でも、デジタルプリンタ１０２のＮＶＲＡＭ１２５にはデジタルプリンタ１０２の正しいマシン情報が、デジタルスキャナ１０１のマシン情報とともに格納されるため、ＣＰＵ１２２は同一基板（メイン制御部１２１を構成する基板）上のＮＶＲＡＭ１２５を読み出すことで、デジタル複写装置としての機能を実現できる。また、デジタルスキャナ１０１のマシン情報を、デジタルスキャナ１０１側とデジタルプリンタ１０２側の両方で記憶しておくことが可能になる。
【０００９】
【発明が解決しようとする課題】
しかしながら、デジタルプリンタ１０２とデジタルスキャナ１０１の各装置ユニットを市場でシステムとして接続する形式のデジタル複写装置において、上記した従来例のように、デジタルプリンタ１０２側でデジタル複写機能に関わる情報としてデジタルスキャナ１０１を含むマシン情報を一元管理する方式を採用すると、接続時に、スキャナユニットの不揮発メモリのマシン情報はプリンタユニット側に転送され、それ以後、スキャナユニット側の不揮発メモリにはアクセスされることが無い。従って、スキャナユニット側の不揮発メモリそのものは無くても制御上支障を来すことは無く、スキャナユニット側の不揮発メモリの存在がコストパフォーマンスを低下させる要因となっている。
本発明は、デジタルプリンタ等の画像形成装置と、デジタルスキャナ等の画像データ生成装置を信号結線により一体化し、一方の構成ユニットである画像形成装置側に全体の制御機能を持たせるような構成をとるデジタル画像処理装置における上記した従来技術の問題点に鑑みてなされたもので、その目的は、各構成ユニット（デジタルプリンタ等の画像形成装置、デジタルスキャナ等の画像データ生成装置）に固有の特性値等の管理情報を保存するための手段を、画像形成装置側のみに設けた不揮発記憶手段で実現することにより構成を簡素化し、従来と同様の管理機能と動作の安定性を維持し、装置の高コストパフォーマンスを図るようにした前記画像形成装置及びデジタル画像処理装置を提供することにある。
【００１０】
【課題を解決するための手段】
請求項１の発明は、画像情報に基づいて画像を出力する画像形成装置と、該画像形成装置に画像情報生成装置を接続することで形成される画像処理装置であって、画像形成装置は、インターフェースを介して画像情報生成装置からの画像情報の受信、画像情報生成装置への制御情報の送信を行う手段と、画像情報に基づいて画像を形成する手段と、第１の不揮発記憶手段と、着脱可能な第２の不揮発記憶手段との接続手段と、前記第１の不揮発記憶手段及び前記接続手段を介して接続される第２の不揮発記憶手段に対するアクセス制御手段と、前記第２の不揮発記憶手段が前記接続手段に接続されているときに、前記第２の不揮発記憶手段の書き込みモードか読み出しモードかをチェックするチェック手段を有し、前記第１の不揮発記憶手段、前記第２の不揮発記憶手段のいずれにも画像情報生成装置固有の管理情報を格納する領域を備えるとともに、前記第１の不揮発記憶手段には画像形成装置に固有の管理情報を格納する領域を備え、前記アクセス制御手段は、前記チェック手段のチェック結果に基づいて、前記第１の不揮発記憶手段の画像情報生成装置固有の管理情報を格納する領域に対する前記第２の不揮発記憶手段に格納された管理情報の書込みと、前記第１の不揮発記憶手段に格納された画像情報生成装置固有の管理情報の前記第２の不揮発記憶手段の格納領域への読み込みを切り換えて行うようにし、前記第２の不揮発記憶手段が前記接続手段に接続されていないときに、前記第１の不揮発記憶手段に記憶された画像情報生成装置固有の管理情報及び画像形成装置に固有の管理情報に基づいて、画像情報生成装置及び画像形成装置を制御して複写動作を行わせることを特徴とする画像処理装置である。
請求項２の発明は、請求項１に記載された画像処理装置において、前記第２の不揮発記憶手段が、前記接続手段に着脱可能に接続するＩＣカードであることを特徴とする画像処理装置である。
【００１７】
【発明の実施の形態】
本発明の画像形成装置或いは画像処理装置を添付する図面とともに示す以下の実施例に基づき説明する。なお、以下に示す実施例装置は、本発明における画像形成装置をデジタルプリンタ装置とし、画像読み取り装置（画像情報生成装置）をデジタルスキャナ装置として、これらを組み合わせて画像処理装置としてのデジタル複写装置を構成する場合を例示する。
この実施例では、デジタル複写装置を構成するデジタルプリンタ装置、デジタルスキャナ装置に固有の特性値等の管理情報を保存するための手段をデジタルプリンタ装置側のみに設け、デジタルスキャナ装置側に不揮発メモリを不要として、従来と同様の管理機能と動作の安定性を維持しつつ、構成の簡素化、装置の高コストパフォーマンスを図る。また、デジタルスキャナ装置とデジタルプリンタ装置は、市場で最初に結合した後に、別のデジタルプリンタ装置にスキャナ装置を結合する場合も考えられる。その場合、スキャナ特性値等の管理情報をＩＣカード等の不揮発メモリに最初に結合したプリンタ装置の不揮発メモリからコピーすることにより、管理できるようにする。さらに、このときの管理形態として、情報を移転させるための媒体を電子化情報ではなく、紙媒体（バーコード）として対応できるようにする。
【００１８】
図１は、本発明の実施例に係わるデジタル複写装置のハード構成を示すブロック図である。
実施例装置の構成とコピー画像の形成動作の概要を図１を参照して、説明する。
デジタルスキャナ装置１において、原稿を露光走査しＣＣＤ１２で光電変換された画像信号は、信号処理部１３に入力され、信号増幅、信号合成、可変増幅、信号デジタル化（Ａ／Ｄ変換）の工程を経て、デジタルプリンタ装置２の画像処理部２６に出力される。
コントローラＩＣ１１は、デジタルスキャナ装置１の各部を制御することにより、原稿を露光するランプ１６をドライブするインバータ１５のオン／オフ制御機能、ランプ１６等の読み取り光学系を載せて原稿を走査するキャリッジ（図示せず）を駆動するモータ１７のドライブ機能、キャリッジのホームポジションを検出するセンサ１４の入力機能を実現する。
【００１９】
デジタルプリンタ装置２において、メイン制御部２１に、デジタルプリンタ装置２の画像形成処理を行うエンジン部（図示せず）及びデジタルスキャナ装置１のコントローラＩＣ１１を制御するＣＰＵ２２を搭載している。ＣＰＵ２２は、ＲＯＭ２３に格納されたプログラムに従い処理を実行し、デジタルスキャナ装置１が接続されていない場合は、デジタルプリンタとしての機能を実現し（例えば、装置にファイル蓄積手段を内蔵している場合には、装置単独で蓄積ファイルのデータをもとに印刷出力をしたり、ＰＣ等のホスト装置が接続されている場合には、ホスト装置からの印刷要求に従い印刷出力を行う）、また、デジタルスキャナ装置１が接続されている場合は、デジタル複写装置としての機能を実現するように、デジタルプリンタ装置２及びデジタルスキャナ装置１の双方を制御する。
ＣＰＵ２２の処理において、ＲＡＭ２４は処理上の一時的なデータの保管に用いられ、不揮発メモリであるＮＶＲＡＭ２５は、デジタルプリンタ装置２における機器固有の特性値あるいは調整値等の管理情報（以下「マシン情報」と記す）及びデジタルスキャナ装置１におけるマシン情報を記憶するために用いられる。
また、デジタルプリンタ装置２には、記憶手段として着脱可能な媒体を用いる不揮発記憶手段を備える。ここでは、着脱可能な記憶媒体としてＩＣカード４５を用い、ＩＣカードドライブ４６をＣＰＵ２２の制御下におき、デジタルスキャナ装置１のマシン情報をＮＶＲＡＭ２５或いはＲＡＭ２４との間で転送し、デジタルスキャナ装置１の接続先の変更に対応してマシン情報の提供を可能にする。
不揮発記憶手段（メモリ）への必要なマシン情報の入力は、デジタルプリンタ装置２の場合、ＮＶＲＡＭ２５に製造工程で行うことができ、また、デジタルスキャナ装置１の場合、製造工程でＩＣカード４５に入力するか、同一機種に設定し得る標準データをＮＶＲＡＭ２５に入力する方法を採っても良い。
【００２０】
図２は、上記のように利用されるＩＣカード４５およびＮＶＲＡＭ２５のメモリマップを示す。
図２に示すように、ＩＣカード４５では、００００番地から数バイトの領域にヘッダー領域５１が設けられており、続いてデジタルスキャナ装置１のマシン情報が格納されるデータ領域５２が配置されている。ＮＶＲＡＭ２５では、００００番地から数バイトの領域にヘッダー領域４１が設けられており、続いてデジタルスキャナ装置１のマシン情報が格納されるデータ領域４２がＩＣカード４５のデータ領域５２と同じか、或いはそれ以上の容量で設けられており、続いてデジタルプリンタ装置２のマシン情報が格納されるプリンタデータ領域４３が配置されている。
このようにして用意されたＮＶＲＡＭ２５には、デジタルプリンタ装置２の製造工程において、そのマシン情報をプリンタデータ領域４３に格納すると同時に、そのヘッダー領域４１に特定の初期値を記憶しておく。ＩＣカード４５には、デジタルスキャナ装置１の製造工程において、そのマシン情報をデータ領域５２に格納すると同時に、そのヘッダー領域５１に特定の初期値を記憶しておくようにして、その後、常にＩＣカード４５をデジタルスキャナ装置１に付属させるようにして使用時に接続するデジタルプリンタ装置２ＩＣドライブ４６にロードするようにしても良い。
【００２１】
次に、実施例装置において、図２に示すようなマシン情報の記憶領域を用意したＩＣカード４５とＮＶＲＡＭ２５へのアクセス動作について説明する。
図３は、ＩＣカード４５装着時の動作のフローチャートを示す。
図３に示すフローによると、ＣＰＵ２２は、先ず、ＩＣカード４５が接続されたか否かをチェックする（Ｓ３１）。ＩＣカード４５の接続時は、デジタルスキャナ装置１の接続先の変更に対応して、マシン情報の転送が必要なときである。そこで、接続が確認できたら、ライトモードであるか否かをチェックする（Ｓ３２）。ライトモードであるか否かは、図示しないデジタルスキャナ装置１あるいはデジタルプリンタ装置２に設けたＳＷ（例えば、ＤＩＰ．ＳＷ）の操作によるか、或いは操作パネルの指示操作により行うようにしても良い。
ライトモード時は（Ｓ３２−YES）、ＮＶＲＡＭ２５のスキャナデータ領域４２に格納されたマシン情報（スキャナ固有の特性値あるいは調整値等の管理情報）を読み出しＲＡＭ２４に書き込む（Ｓ３３）。
次に、ＲＡＭ２４に書き込んだデジタルスキャナ装置１のマシン情報を転送し、ドライブ４６によりＩＣカード４５のデータ領域５２に書き込む（Ｓ３４）。同時に、ＩＣカード４５のヘッダ領域５１に特定値を書き込み（Ｓ３５）、フローのスタート時の状態へリターンする。
【００２２】
上記でＩＣカード４５の接続を確認し、ライトモードであるか否かをチェックした結果ライトモードではない場合（Ｓ３２−NO）、リードモードであるか否かをチェックする（Ｓ３６）。
リードモード時は（Ｓ３６−YES）、デジタルスキャナ装置１が接続先を変更して、このデジタルプリンタ装置２に新たにマシン情報を保存させるための動作である。リードモードであるか否かは、図示しないデジタルスキャナ装置１あるいはデジタルプリンタ装置２に設けたＳＷ（例えば、ＤＩＰ．ＳＷ）の操作によるか、或いは操作パネルの指示操作により行うようにしても良い。
リードモードでは、まず、ＩＣカード４５のヘッダ領域５１を読み込む（Ｓ３７）。ヘッダ領域５１を読み込み、得たデータが初期値であるか否かをチェックし（Ｓ３８）、初期値であるときに、ＩＣカード５２のスキャナデータ領域５２に保存されているデジタルスキャナ装置１のマシン情報を読み出し、ＲＡＭ２４に書き込む（Ｓ３９）。
次に、ＲＡＭ２４に書き込んだデジタルスキャナ装置１のマシン情報を転送し、ＮＶＲＡＭ２５のスキャナデータ領域４２に書き込む（Ｓ４０）。同時に、ＮＶＲＡＭ２５のヘッダ領域４１に特定値を書き込み（Ｓ４１）、フローのスタート時の状態へリターンする。
上記の一連の処理により、デジタルスキャナ装置１を別なデジタルプリンタ装置２に接続する場合に、ＩＣカード５２を介して、デジタルスキャナ装置１のマシン情報を設定することが可能となる。
【００２３】
次に、上記実施例装置におけるＩＣカードが持つと同じ機能を他の手段により実現するようにした本発明の実施例について説明する。
本実施例は、ＩＣカードに代えて不揮発性の情報保存手段として紙媒体を用い、デジタルスキャナ装置１のマシン情報を印刷出力して、紙媒体により情報を移転させるようにするものである。
この場合、マシン情報の印刷出力をデジタルプリンタ装置２自身のプリンタエンジンにより行わせる。そのために、デジタルプリンタ装置２内に、ＮＶＲＡＭ２５に格納されたデジタルスキャナ装置１のマシン情報を画像情報に変換する手段を用意し、変換した画像情報に基づいて、装備するエンジンにより印刷出力を行うようにする。この実施例では、マシン情報のデータを、データを格納するＮＶＲＡＭ２５のアドレスデータとともにバーコードとして画像表現に変換する。なお、データのバーコード変換には、既知の手段を用いることができるので、この変換手段の説明をここでは省略する。
図４は、印刷出力されたバーコードにより表現されたマシン情報のデータの一例を示す。同図に示すように、マシン情報のデータとアドレスを対にして印刷出力する。
【００２４】
また、上記のようにして紙媒体によりマシン情報を移転させる方式では、デジタルスキャナ装置１の接続時に、紙媒体に印刷出力されたマシン情報によって、デジタルプリンタ装置２内に保存されるマシン情報を更新する必要がある。このマシン情報の更新を行うために、デジタルプリンタ装置２内には、印刷出力され画像表現されたマシン情報をＮＶＲＡＭ２５に格納可能な電子化データに変換する手段を用意し、変換した電子化データを所定の記憶領域に格納する。
この実施例では、アドレスとマシン情報を表すバーコードが印刷された紙媒体をデジタルスキャナ装置１で読み取った後、読み取られた画像データを受け取るデジタルプリンタ装置２で、バーコードの画像データからＮＶＲＡＭ２５により管理可能なデータへの変換を行う。なお、このバーコード画像データから数値データ（ＮＶＲＡＭ２５により管理可能なデータ）への変換には、バーコード読み取りに普通に使用される変換手段を適用することができるので、この変換手段の説明をここでは省略する。
【００２５】
ＮＶＲＡＭ２５に保存するマシン情報を図４に示すようなバーコードを印刷した紙媒体により移転させるようにした本実施例のＮＶＲＡＭ２５へのアクセス動作について説明する。
図５は、バーコード読み取りモード時の動作のフローチャートを示す。
図５のフローの前提として、バーコードを印刷した紙媒体が用意されている必要がある。このために、デジタルスキャナ装置１を別なデジタルプリンタ装置２に接続しようとする場合に、接続を外す前に操作パネルから指示し、図４に示すマシン情報をバーコード印字し、紙媒体による出力を行う。なお、デジタルスキャナ装置１の接続を外す時に、自動的にかかる印刷出力を行うようにしても良い。
デジタルスキャナ装置１を別なデジタルプリンタ装置２に接続後、バーコード印字した紙媒体をデジタルスキャナ装置１にセットし、バーコードを読み取る。この時、接続されたデジタルスキャナ装置１のマシン情報は未知であり、デジタルプリンタ装置２には、以前のマシン情報が設定されている場合があるから、デジタルスキャナ装置１への設定を標準値として、スキャン動作を行うように制御する。ここで用いる標準値は、多くのサンプルから得られた平均的な値として通常、機種毎に用意されているデフォルト値であり、この値を用いるようにして、誤読み取りが生じることがないようにする。
【００２６】
図５に示すフローによると、ＣＰＵ２２は、デジタルスキャナ装置１の接続時に、先ず、操作パネルのモード指示操作により、バーコード読取モードが選択されたか否かをチェックし（Ｓ５１）、フローを開始する。
バーコード読取モードが選択された場合、紙媒体に印字されたバーコードをスキャンして、バーコードの画像データを得る（Ｓ５２）。
バーコードの画像データとして得た中の、アドレスデータ（マシン情報のデータを格納する場所のデータ）をＮＶＲＡＭ２５をアクセス制御する（同時にＲＡＭ２４を制御する）ためのデータへ変換することにより、アドレスデータの読み取りを行う（Ｓ５３）。
バーコードの画像データとして得た中の、マシン情報（スキャナ特性値、等）を表すデータをＮＶＲＡＭ２５で管理可能なデータへ変換することにより、マシン情報の読み取りを行う（Ｓ５４）。
読み取ったマシン情報（スキャナ特性値、等）をＲＡＭ２４に書き込み（Ｓ５５）、書き込んだマシン情報を、先に読み取ったアドレスデータに従いＮＶＲＡＭ２５のスキャナデータ領域４２に書き込む（Ｓ５６）。
上記の一連の処理により、デジタルスキャナ装置１を別なデジタルプリンタ装置２に接続する場合に、バーコードを印字した紙媒体を介して、デジタルスキャナ装置１のマシン情報を設定することが可能となる。
【００２７】
【発明の効果】
請求項１、２の発明に対応する効果
画像情報生成装置（例えば、スキャナ）と画像形成装置（例えば、プリンタ）を接続して、複写装置の機能を有する画像処理装置として使用する形態をとる場合に、画像情報生成装置の管理情報も画像形成装置側に設けた不揮発記憶手段で保存するようにしたことにより、画像情報生成装置の不揮発記憶手段（ＥＥＰＲＯＭ等）を不要にして構成を簡素化し、コストを削減する。画像情報生成装置の不揮発記憶手段を不要にした場合、接続する画像情報生成装置と画像形成装置の組み合わせが変わった時に生じる管理情報の不整合も、ＩＣカード等の着脱可能な媒体を用いるメモリを設けたので、着脱可能な媒体による情報の移転によって、画像情報生成装置の管理情報を設定でき、不整合を起こすことがなく、従来と同様の管理機能と動作の安定性を維持し、装置の高コストパフォーマンスを図ることが可能になる。
【図面の簡単な説明】
【図１】  デジタルスキャナをデジタルプリンタに接続し、デジタル複写機能を実現する本発明の実施例装置のハードウェア構成を示すブロック図である。
【図２】  図１の実施例装置に用いるＩＣカードおよびＮＶＲＡＭのメモリマップを示す。
【図３】  ＩＣカード装着時のＩＣカードとＮＶＲＡＭへのアクセス動作のフローチャートを示す。
【図４】  印刷出力されたバーコードにより表現されたマシン情報のデータの一例を示す。
【図５】  バーコード読み取りモード時のＮＶＲＡＭへのアクセス動作のフローチャートを示す。
【図６】  デジタルスキャナをデジタルプリンタに接続し、デジタル複写装置としての機能を実現する従来装置のハードウェア構成を示すブロック図である。
【図７】  図６の従来装置に用いるＥＥＰＲＯＭおよびＮＶＲＡＭのメモリマップを示す。
【図８】  電源投入時のマシン情報の管理に係わる処理のフローチャートを示す。
【符号の説明】
１，１０１…デジタルスキャナ装置、
２，１０２…デジタルプリンタ装置、
１１，１１１…コントローラＩＣ、  １２，１１２…ＣＣＤ、
１３，１１３…信号処理部、        １６，１１６…ランプ、
１７，１１７…モータ、            ２１，１２１…メイン制御部、
２２，１２２…ＣＰＵ、            ２３，１２３…ＲＯＭ、
２４，１２４…ＲＡＭ、            ２５，１２５…ＮＶＲＡＭ、
２６，１２６…画像処理部、              １１８…ＥＥＰＲＯＭ、
４５…ＩＣカード、                ４６…ＩＣカードドライブ。
【図１】
0004121057.tif 000002
【図２】
0004121057.tif 000003
【図３】
0004121057.tif 000004
【図４】
0004121057.tif 000005
【図５】
0004121057.tif 000006
【図６】
0004121057.tif 000007
【図７】
0004121057.tif 000008
【図８】
0004121057.tif 000009